(57)【要約】【課題】副作用なしに多種に渡る原稿サイズ・紙厚を安価で高速に排紙可能とする画像読取装置の提供を目的としている。【解決手段】本発明は、原稿を搬送しながら原稿画像を読み取る画像読取装置において、原稿を反転させるために使用される反転用部材１１が動作可能に設けられ、原稿排紙時に反転用部材１１が排紙領域に向けて突出動作されると共に反転用部材１１を動作時に多段階の位置で止めることができるようにしたことを特徴とする。【選択図】    図６
2006248681.tif 000002
【特許請求の範囲】
【請求項１】
原稿を搬送しながら原稿画像を読み取る画像読取装置において、原稿を反転させるために使用される反転用部材が動作可能に設けられ、原稿排紙時に前記反転用部材が排紙領域に向けて突出動作されることを特徴とする画像読取装置。
【請求項２】
前記反転用部材を動作時に多段階の位置で止めることができることを特徴とする請求項１に記載の画像読取装置。
【請求項３】
原稿排紙速度に応じて前記反転用部材の動作タイミングを切り替えることを特徴とする請求項１に記載の画像読取装置。
【請求項４】
原稿排紙速度に応じて前記反転用部材の動作角度を切り替えることを特徴とする請求項１に記載の画像読取装置。
【請求項５】
原稿サイズに応じて前記反転用部材を動作させるか否かを決定することを特徴とする請求項１に記載の画像読取装置。
【請求項６】
原稿サイズに応じて前記反転用部材の動作タイミングを切り替えることを特徴とする請求項１に記載の画像読取装置。
【請求項７】
原稿排紙枚数に応じて前記反転用部材を動作させるか否かを決定することを特徴とする請求項１に記載の画像読取装置。
【請求項８】
原稿排紙枚数に応じて前記反転用部材の動作タイミングを切り替えることを特徴とする請求項１に記載の画像読取装置。
【請求項９】
原稿紙厚に応じて前記反転用部材を動作させるか否かを決定することを特徴とする請求項１に記載の画像読取装置。
【請求項１０】
原稿紙厚に応じて前記反転用部材の動作タイミングを切り替えることを特徴とする請求項１に記載の画像読取装置。
【発明の詳細な説明】
【技術分野】
【０００１】
本発明は、原稿を搬送しながら画像を読み取る画像読取装置（以下、ＡＤＦと称する）に関する。
【背景技術】
【０００２】
ＡＤＦの現状として、筐体の小型化・高生産性（読取り線速アップ）が年々進められている。例えば特許文献１には、原稿を移動させながら画像を読み取るシートスルー方式に対応し、読取位置に画像読取対象の原稿を搬送するＡＤＦであって、原稿幅を検知する幅検知手段と、原稿の搬送方向の長さを検知する長さ検知手段と、異なるサイズの原稿を混載・搬送する混載モードを設定する混載モード設定手段とを備え、混載モードでは、幅検知手段および長さ検知手段によって原稿サイズを検出する間に、原稿後端が読取位置を少なくとも１回通過することを特徴とするＡＤＦが開示されている。このような構成によれば、装置を小型化しても混載モードでサイズの異なる原稿を混載して読み取ることができる。
【０００３】
【特許文献１】特開２００１−１３７４０号公報
【発明の開示】
【発明が解決しようとする課題】
【０００４】
しかし、前述した特許文献１も含め、小型化と線速アップは相反する内容であり、結果として排紙スタック性が悪くなっている。ＡＤＦはその使用原稿サイズの多種性から、排紙部にストッパー等の部材を設ける事が出来ず、傾斜した排紙トレイに排紙する以外対応出来ない状態となっている。その為、高速排紙を行うと紙が排紙トレイから飛び出してしまい、落下等の問題が発生してしまう。現状での対応としては、排紙時に線速を落とす等対応を採っているが、これは生産性に影響してしまうという副作用が発生してしまう。
【０００５】
本発明は、前記事情に着目してなされたものであり、その目的とするところは、副作用なしに多種に渡る原稿サイズ・紙厚を安価で高速に排紙可能とする画像読取装置を提供することにある。
【課題を解決するための手段】
【０００６】
前記課題を解決するために、請求項１に記載された発明は、原稿を搬送しながら原稿画像を読み取る画像読取装置において、原稿を反転させるために使用される反転用部材が動作可能に設けられ、原稿排紙時に前記反転用部材が排紙領域に向けて突出動作されることを特徴とする。
【０００７】
また、請求項２に記載された発明は、請求項１に記載された発明において、前記反転用部材を動作時に多段階の位置で止めることができることを特徴とする。
【０００８】
また、請求項３に記載された発明は、請求項１に記載された発明において、原稿排紙速度（搬送速度も含む）に応じて、前記反転用部材の動作タイミングを切り替えることを特徴とする。
【０００９】
また、請求項４に記載された発明は、請求項１に記載された発明において、原稿排紙速度（搬送速度も含む）に応じて前記反転用部材の動作角度を切り替えることを特徴とする。
【００１０】
また、請求項５に記載された発明は、請求項１に記載された発明において、原稿サイズに応じて前記反転用部材を動作させるか否かを決定することを特徴とする。
【００１１】
また、請求項６に記載された発明は、請求項１に記載された発明において、原稿サイズに応じて前記反転用部材の動作タイミングを切り替えることを特徴とする。
【００１２】
また、請求項７に記載された発明は、請求項１に記載された発明において、原稿排紙枚数に応じて前記反転用部材を動作させるか否かを決定することを特徴とする。
【００１３】
また、請求項８に記載された発明は、請求項１に記載された発明において、原稿排紙枚数に応じて前記反転用部材の動作タイミングを切り替えることを特徴とする。
【００１４】
また、請求項９に記載された発明は、請求項１に記載された発明において、原稿紙厚に応じて前記反転用部材を動作させるか否かを決定することを特徴とする。
【００１５】
また、請求項１０に記載された発明は、請求項１に記載された発明において、原稿紙厚に応じて前記反転用部材の動作タイミングを切り替えることを特徴とする。
【発明の効果】
【００１６】
本発明の画像読取装置によれば、副作用なしに多種に渡る原稿サイズ・紙厚を安価で高速に排紙可能となる。
【発明を実施するための最良の形態】
【００１７】
以下、図面を参照しながら、本発明の一実施形態について説明する。
【００１８】
以下の実施形態では、両面読取り可能なシートＡＤＦ(原稿を搬送しながら画像を読み取る）を例に説明するが、ベルトタイプ等の他のＡＤＦでも同じである。
【００１９】
図１はシートＡＤＦの搬送パスを横からみたものである。原稿トレイ１に積載された原稿は、呼び出しローラ２によって原稿の上側から順じ分離ユニット３へ呼び込まれる。分離ユニットへは、複数枚の原稿が入り込む可能性があるが、ＦＲＰ方式等の分離機構により、この例では一番上の紙が分離されて搬送経路へと送り込まれる。搬送経路に入った原稿は、プルアウトローラ４により原稿読取り部５へ送られ、その際画像が取り込まれる。読み取った画像は、中間ローラ６を経由して排紙ローラ７から排紙トレイ１２へ排紙される。片面の原稿読取りは、以上の動作を繰り返し行う形となる。
【００２０】
次に、両面時の動作を説明する。片面時同様、表面の読取りを行ってから中間ローラ６へ送られるが、この時分岐爪９が図２の位置へ変わる為、原稿は排紙トレイ１２ではなく、反転ローラ１０に引き上げられながら反転用部材としての反転トレイ１１へ送られる。読み取った原稿の後端が排紙ローラ７を抜けた時点で分岐爪９を図１の位置へ戻し、図３の様に反転ローラ・排紙ローラを逆回転させる事で、裏側になった原稿を、再び読取り部５へ送る。読み取った原稿は、表面と同様再度反転トレイ側へ送られ、表面同様後端が排紙ローラ７を抜けた段階でスイッチバックを行う。この時点で両面の読取りは終了している為、読取りは行わずそのままプルアウトローラ４、読取り部５、中間ローラ６を経由して、片面同様に排紙トレイ１２へ排出を行う。以上が、両面動作時の動作説明である。
【００２１】
この時排紙ローラ７から飛び出す原稿のスピードが速いと、排紙トレイ１２の上に留まらず右側まで飛び出してしまい原稿が落下してしまう事がある。以下に更に具体的な構成について説明を行う。
【００２２】
図４は片面読取り動作の原稿を排出するタイミングを現している。この例では図５の様に反転トレイ１１が下側に下りる様になっている。この動作は、ソレノイド・モータ等どの様な手段を用いて達成しても良い。図５は短い原稿排紙の場合の一例である。この例では原稿の先端が反転トレイ１１へ到達する前にトレイ１１を下げて、原稿の飛び出しを押さえている。図６は長い原稿を排紙する場合の一例で、原稿がある程度排紙された状態で反転トレイ１１を下げ（原稿の後端側でトレイを落とす）、飛び出しを防止している。長い原稿を先端から押さえるとジャムし易い事からこの制御を例に挙げているが、実際の制御においては機械・機種毎にどの様に制御を行っても構わない。
【００２３】
図７では、反転トレイ１１の回転軸を反転ローラ１０の軸とは別にしたものである。反転トレイ１１の駆動軸をステッピングモータ等の部品で動かす事により、図７の通り反転トレイ１１の停止位置をコントロールする事が出来る。これにより、排出されてくる紙種に応じて、その規制量を変える事が可能となる。又規制角のコントロールだけではなく、ステッピングモータ等を使用した場合は反転トレイ１１の落ちる時間・スピードをコントロールできる為、状況に応じて速くトレイ１１を降ろしたり、ゆっくり降ろす等の制御も可能となる。
【００２４】
図８は原稿の排紙速度に応じて、反転トレイ１１の動作を決める処理となる。まず、原稿排紙速度を検出し（ステップＳ１）、この速度が速い場合には排紙時に反転トレイ１１を下げ（ステップＳ２）、遅い場合には排紙時に反転トレイ１１を下げないようにする（ステップＳ３）。この処理により、例えば高速で排出される原稿の場合は反転トレイ１１を下げる事が出来るため、高速排紙時の排紙スタック性を良くする事が可能となる。逆に低速排紙時はトレイを下げずにすむ為、その動作に関わる電力等を押さえる事が可能となる。
【００２５】
図９は原稿排紙速度に応じて、反転トレイの動作角度を決める処理となる。これは図７で説明をした機構を有している場合に対応が可能となる。まず、原稿排紙速度を検出し（ステップＳ１０）、原稿排紙速度が速度１である場合には排紙時の反転トレイ１１の下げ量を最も大きくし（ステップＳ１１）、原稿排紙速度が速度２である場合には排紙時の反転トレイ１１の下げ量を中程度にし（ステップＳ１２）、原稿排紙速度が速度３である場合には排紙時の反転トレイ１１の下げ量を最も小さくする（ステップＳ１３）。この処理によれば、原稿の排紙速度に応じて、例えば高速排紙時は反転トレイ１１の下げ量を大きくしたり、中速の場合は中間の位置にしたり等、その排紙速度に応じて適切な規制角を設定する事が可能となる。
【００２６】
図１０は原稿サイズに応じて、反転トレイの動作を決める処理となる。まず、原稿サイズが検出され（ステップＳ２０）、サイズが大である場合には排紙時に反転トレイ１１を下げ（ステップＳ２１）、サイズが小である場合には排紙時に反転トレイ１１を下げないようにする（ステップＳ２２）。この処理により、例えば大サイズ等の飛び出し易い原稿が排出される場合は反転トレイ１１を下げることができるため、排紙スタック性を良くする事が可能となる。逆に小サイズ原稿は飛び出しにくい事からトレイ１１を下げずにすむ為、その動作に関わる電力等を押さえる事が可能となる。
【００２７】
図１１は原稿サイズに応じて、反転トレイの動作角度を決める処理となる。これは図７で説明をした機構を有している場合に対応が可能となる。まず、原稿サイズが検出され（ステップＳ３０）、サイズが大である場合には排紙時に反転トレイ１１の下げ量を小さくし（ステップＳ３１）、サイズが小である場合には排紙時に反転トレイ１１の下げ量を大きくする（ステップＳ３２）。この処理により、原稿のサイズに応じて、例えば小サイズ原稿の排紙時はトレイ１１の下げ量を大きくしたり、大サイズ原稿の場合は下げ量を小さくしたり等、そのサイズに応じて適切な規制角を設定する事が可能となる。
【００２８】
図１２は原稿排紙枚数に応じて、反転トレイ１１の動作を決める処理となる。まず、原稿排紙枚数を検出し（ステップＳ４０）、排紙枚数が少ない場合には排紙時に反転トレイ１１を下げ（ステップＳ４１）、排紙枚数が多い場合には排紙時に反転トレイ１１を下げないようにする（ステップＳ４２）。この処理により、例えば排紙枚数が少ない場合は反転トレイ１１を下げる事が出来るため、排紙スタック性を良くする事が可能となる。逆に排紙枚数が多くなると反転トレイ１１を下げた時に排紙された紙と当たってしまう可能性があるが、本制御の場合には、反転トレイ１１を下げずにすむ為紙の排紙スペースが無くなってジャムが発生するのを押さえる事が可能となる。
【００２９】
図１３は原稿排紙枚数に応じて、反転トレイの動作角度を決める処理となる。これは図７で説明をした機構を有している場合に対応が可能となる。まず、原稿排紙枚数を検出し（ステップＳ５０）、排紙枚数が少ない場合には排紙時に反転トレイ１１の下げ量を最も大きくし（ステップＳ５１）、排紙枚数が中間程度である場合には排紙時に反転トレイ１１の下げ量を中程度とし（ステップＳ５２）、排紙枚数が多い場合には排紙時に反転トレイ１１の下げ量を最も小さくする（ステップＳ５３）。この処理により、原稿の排紙枚数に応じて、例えば排紙量が少ない場合はトレイの下げ量を大きくしておき、排紙枚数の増加に伴い、反転トレイ１１を上げていくといった制御も可能となる。この制御により、ジャムが発生しない範囲で紙の飛び出し等を規制する事が可能となる。
【００３０】
図１４は原稿の紙厚に応じて、反転トレイの動作を決める処理となる。まず、原稿紙厚を検出し（ステップＳ６０）、厚い場合には排紙時に反転トレイ１１を下げ（ステップＳ６１）、薄い場合には排紙時に反転トレイ１１を下げないようにする（ステップＳ６２）。この処理により、例えば厚紙等の飛び出し易い原稿が排出される場合は反転トレイ１１を下げる事が出来るため、排紙スタック性を良くする事が可能となる。逆に薄紙時は飛び出しにくいことから、反転トレイ１１を下げずにすむ為、その動作に関わる電力等を押さえる事が可能となる。
【００３１】
図１５は原稿の紙厚に応じて、反転トレイの動作角度を決める処理となる。これは図７で説明をした機構を有している場合に対応が可能となる。まず、原稿紙厚を検出し（ステップＳ７０）、厚い場合には排紙時に反転トレイ１１の下げ量を最も大きくし（ステップＳ７１）、厚さが普通の場合には排紙時に反転トレイ１１の下げ量を中程度とし（ステップＳ７２）、薄い場合には排紙時に反転トレイ１１の下げ量を最も小さくする（ステップＳ７３）。この処理により、原稿の紙厚に応じて、例えば厚紙排紙時は反転トレイ１１の下げ量を大きくしたり、薄紙の場合は中間の位置にしたり等、その排紙速度に応じて適切な規制角を設定することが可能となる。
【００３２】
以上のとおり、各原稿条件に応じて反転トレイ１１を動作させたり、角度を可変させる事によって、小スペース機でのさまざまな条件における排紙スタック性を向上させる事が可能となる。
【００３３】
以上説明したように、上記実施形態においては、原稿の反転用に使用している反転トレイ１１を可動とし、排紙される転写紙を上から押さえる事が出来る様にしているため、高速排紙時の落下を防ぐ事ができる（反転トレイ１１を用いて排紙される原稿の飛び出し等を規制できることから、排紙トレイへのスタック性を向上させる事が可能となる）。
【００３４】
また、反転トレイ１１を動作時に多段階の位置で止めることができるため、ジャム等の発生を押さえる事ができる（反転トレイ１１の動作角を変えられる事から、各紙種に応じた規制角度・規制速度を調整できる為、排紙スタック性を向上させる事が可能となる）。
【００３５】
また、原稿の排紙速度に応じて排紙原稿の規制を行える為、高速排紙時等のスタック不良を向上させる事が可能となる。また、原稿の排紙速度に応じて排紙原稿の規制角を自由に変更できる為、さまざまな線速の違いにもリニアに規制し、スタック不良を向上させる事が可能となる。また、原稿のサイズに応じて排紙原稿の規制を行える為、大サイズ等のスタック不良（落下等）を向上させることが可能となる。
【００３６】
また、原稿のサイズに応じて排紙原稿の規制角を自由に変更できる為、さまざまな原稿サイズの違いにもリニアに規制し、スタック不良を向上させる事が可能となる。また、原稿の排紙枚数に応じて排紙原稿の規制を行える為、積載枚数が多くなった時の反転トレイ１１の動作を中止することができるため、ジャム等の不良を防ぐ事が可能となる。また、原稿の排紙枚数に応じて排紙原稿の規制角を自由に変更できる為、排紙枚数に応じた規制が出来、排紙量が少ない時は。規制を強くし、多い時は規制を弱くしてジャムを回避する等の対応が可能となる。また、原稿の紙厚に応じて排紙原稿の規制を行える為、厚紙の様な飛びやすい原稿の時はトレイを下げて規制し、薄紙の方に飛び難い原稿の時はトレイを下げずジャムを回避するといった対応が可能となる。また、原稿の紙厚に応じて排紙原稿の規制角を自由に変更できる為、原稿が厚くなるに従いその規制量も増やすといった対応が可能となる為、通紙紙厚に最もあった規制量を設定する事が可能となる。
【図面の簡単な説明】
【００３７】
【図１】本発明の一実施形態に係るＡＤＦの動作説明図である。
【図２】本発明の一実施形態に係るＡＤＦの動作説明図である。
【図３】本発明の一実施形態に係るＡＤＦの動作説明図である。
【図４】本発明の一実施形態に係るＡＤＦの動作説明図である。
【図５】本発明の一実施形態に係るＡＤＦの動作説明図である。
【図６】本発明の一実施形態に係るＡＤＦの動作説明図である。
【図７】本発明の一実施形態に係るＡＤＦの制御動作の第１の例を示すフローチャートである。
【図８】本発明の一実施形態に係るＡＤＦの制御動作の第２の例を示すフローチャートである。
【図９】本発明の一実施形態に係るＡＤＦの制御動作の第３の例を示すフローチャートである。
【図１０】本発明の一実施形態に係るＡＤＦの制御動作の第４の例を示すフローチャートである。
【図１１】本発明の一実施形態に係るＡＤＦの制御動作の第５の例を示すフローチャートである。
【図１２】本発明の一実施形態に係るＡＤＦの制御動作の第６の例を示すフローチャートである。
【図１３】本発明の一実施形態に係るＡＤＦの制御動作の第７の例を示すフローチャートである。
【図１４】本発明の一実施形態に係るＡＤＦの制御動作の第８の例を示すフローチャートである。
【図１５】本発明の一実施形態に係るＡＤＦの制御動作の第９の例を示すフローチャートである。
【符号の説明】
【００３８】
９    分岐爪
１０  反転ローラ
１１  反転トレイ（反転用部材）
１２  排紙トレイ
【図１】
2006248681.tif 000003
【図２】
2006248681.tif 000004
【図３】
2006248681.tif 000005
【図４】
2006248681.tif 000006
【図５】
2006248681.tif 000007
【図６】
2006248681.tif 000008
【図７】
2006248681.tif 000009
【図８】
2006248681.tif 000010
【図９】
2006248681.tif 000011
【図１０】
2006248681.tif 000012
【図１１】
2006248681.tif 000013
【図１２】
2006248681.tif 000014
【図１３】
2006248681.tif 000015
【図１４】
2006248681.tif 000016
【図１５】
2006248681.tif 000017